(57)【特許請求の範囲】
【請求項１】
文書情報に含まれる地理的な位置情報に応じて前記文書情報を分類するための文書情報分類システムと、前記分類された文書情報を配信するための文書情報配信システムとからなる文書情報分類／配信システムであって、
前記文書情報分類システムは、
前記文書情報とＩＤコードとが結び付けられて記憶される文書情報記憶手段と、
住所情報とＩＤコードと緯度経度データとが対応して記憶されているＩＤ情報記憶手段と、
地図データと緯度経度データとが対応して記憶されている関連情報記憶手段と、
前記文書情報から地理的な位置情報を切出す位置情報切出手段と、
前記位置情報切出手段により切出された位置情報に対応する複数のＩＤコードを前記ＩＤ情報記憶手段から読み出し、記憶するＩＤ候補記憶手段と、
前記ＩＤ候補記憶手段にて記憶された複数のＩＤコードに基づいて前記ＩＤ情報記憶手段から緯度経度データを得ると共に、この緯度経度データに基づいて前記関連情報記憶手段から複数の地図データを出力処理し、当該各地図データのうち、前記文書情報に適した地図データを決定する操作を促す出力処理手段と、
前記操作により決定された地図データに対応するＩＤコードを前記ＩＤ候補記憶手段から決定する手段と、
前記決定されたＩＤコードを前記文書情報に結び付けて前記文書情報記憶手段に書込むＩＤコード書込手段と、
を備えており、
前記文書情報配信システムは、
文書情報を配信する配信対象地域の指定を含む配信指令が入力されると、この指定内容に基づいて、前記ＩＤ情報記憶手段内の対応するＩＤコードを得ると共に、このＩＤコードを用いて前記文書情報記憶手段を検索し、文書情報を得るコード検索手段と、
前記コード検索手段により得られたＩＤコード及び文書情報に対し、前記ＩＤ情報記憶手段を参照し、当該ＩＤコードに対応する緯度経度データに基づいて、前記関連情報記憶手段から地図データを検索する関連情報検索手段と、
前記コード検索手段により得られた文書情報に、前記関連情報検索手段により得られた地図データを付加する関連情報付加手段と、
前記関連情報付加手段により地図データが付加された文書情報を前記配信対象地域の各端末に配信する文書情報配信手段と、
を備えたことを特徴とする文書情報分類／配信システム。
【請求項２】
地理的な位置情報を含む文書情報とＩＤコードとが結び付けられて記憶されている文書情報記憶手段、住所情報とＩＤコードと緯度経度データとが対応して記憶されているＩＤ情報記憶手段、及び地図データと緯度経度データとが対応して記憶されている関連情報記憶手段を用い、文書情報に含まれる地理的な位置情報に応じて前記文書情報を分類するための文書情報分類システムと、前記文書情報を配信するための文書情報配信システムとが実行する文書情報分類／配信方法であって、
前記文書情報分類システムが前記文書情報から地理的な位置情報を切出す位置情報切出ステップと、
前記文書情報分類システムが、前記位置情報切出ステップにより切出された位置情報に対応する複数のＩＤコードを前記ＩＤ情報記憶手段から読み出し、記憶するＩＤ候補記憶ステップと、
前記文書情報分類システムが、前記ＩＤ候補記憶ステップにて記憶された複数のＩＤコードに基づいて前記ＩＤ情報記憶手段から緯度経度データを得ると共に、この緯度経度データに基づいて前記関連情報記憶手段から複数の地図データを出力処理し、当該各地図データのうち、前記文書情報に適した地図データを決定する操作を促す出力処理ステップと、
前記文書情報分類システムが、前記操作により決定された地図データに対応するＩＤコードを前記ＩＤ候補記憶ステップにて記憶された複数のＩＤコードから決定するステップと、
前記文書情報分類システムが、前記決定されたＩＤコードを前記文書情報に結び付けて前記文書情報記憶手段に書込むＩＤコード書込ステップと、
文書情報を配信する配信対象地域の指定を含む配信指令が前記文書情報配信システムに入力されると、当該文書情報配信システムが、この指定内容に基づいて、前記ＩＤ情報記憶手段内の対応するＩＤコードを得ると共に、このＩＤコードを用いて前記文書情報記憶手段を検索して文書情報を得るコード検索ステップと、
前記文書情報配信システムが、前記コード検索ステップにより得られたＩＤコード及び文書情報に対し、前記ＩＤ情報記憶手段を参照し、当該ＩＤコードに対応する緯度経度データに基づいて、前記関連情報記憶手段から地図データを検索する関連情報検索ステップと、
前記文書情報配信システムが、前記コード検索ステップにより得られた文書情報に、前記関連情報検索ステップにより得られた地図データを付加する関連情報付加ステップと、
前記文書情報配信システムが、前記関連情報付加ステップにより地図データが付加された文書情報を前記配信対象地域の各端末に配信する文書情報配信ステップと、
を含んでいることを特徴とする文書情報分類／配信方法。
【発明の詳細な説明】
【０００１】
【発明の属する技術分野】
本発明は、文書情報に含まれる地理的な位置情報に基づいて、文書情報を分類して保管し、しかる後、分類結果に基づいて、配信対象地域に関連する文書情報と関連情報とを配信対象地域の各端末に配信するための文書情報分類／配信システム及び方法に関する。
【０００２】
【従来の技術】
一般に、新聞、雑誌の記事や文字で表現される文書情報には、その内容に関連してさまざまな付加的情報が含まれている。
例えば、新聞記事には、５Ｗ１Ｈという記事の基本法則があり、これら５Ｗ１Ｈ（何時（when）、誰が（who）、何処で（where）、何を（what）、なぜ（why）、どのようにして（how））に対応した内容の付加的情報（何時（時間情報）、誰が（個人情報）、何処で（位置情報）、何を（名称情報）、なぜ（履歴情報）、どのようにして（具体的な内容情報））が含まれている。
【０００３】
また、このような新聞記事などの個々の記事情報は、新聞、雑誌毎のメディア毎に集められ、そのメディアの発行のためだけに使用（配信）される。
また、係る記事情報は、掲載されるメディア毎に独自の分類法で分類される。
【０００４】
この種の分類法としては、例えば新聞の場合には発行日と掲載面の組合せあるいはそれらに記者コードを付加する方式があり、雑誌の場合には掲載号と掲載ページの組合せあるいはそれらに記事名称を付加する方式などがある。
【０００５】
【発明が解決しようとする課題】
しかしながら、以上のような文書情報の分類・配信方式は、再利用が何ら考慮されていない状況にある。
【０００６】
例えば、一旦、全国版などのように地域に無関係に配信された記事情報を特定の地域に密着した地域メディアにおいて再利用する際には、人手により記事情報を再読して位置情報により各地域毎に分類し、分類された各地域毎の記事情報のうち、所望の地域の記事情報を抽出して配信するといった手間が掛かる。
【０００７】
この種の手間は、１本の記事に複数の位置情報が含まれる場合により顕著となる。例えば新聞記事の分類は、主たる位置情報に関してのみ行われる。これは、新聞の紙面構成が細かい地域紙面に分かれていないことや、記事の位置による分類が現実に複雑だからである。しかし、全国版の新聞の地域紙面よりも細かい特定地域を対象としている地域メディアにとっては、記事がもっと細かく位置に関して分類されている必要がある。さらに、複数の地域に関係する記事を各々の地域に配信する必要がある。このため、複数の位置情報を含む記事は、位置情報の個数に比例して分類や配信の手間が増大することになる。
【０００８】
また、地域の分類は、各メディア毎に独自の分類法で行われる。このため、各メディアが同一の記事情報について再読し、分類することとなり、重複した作業を行なっていることになる。
【０００９】
すなわち、記事等の文書情報を再利用する際に、分類作業と配信作業とに多大な労力を要している。
本発明は上記実情を考慮してなされたもので、記事等の文書情報を再利用する際に、分類作業の労力を低減し得ると共に、配信作業の労力を低減し得る文書情報分類／配信システム及び方法を提供することを目的とする。
【００２１】
【課題を解決するための手段】
請求項１に対応する発明は、文書情報に含まれる地理的な位置情報に応じて前記文書情報を分類するための文書情報分類システムと、前記分類された文書情報を配信するための文書情報配信システムとからなる文書情報分類／配信システムであって、前記文書情報分類システムとしては、前記文書情報とＩＤコードとが結び付けられて記憶される文書情報記憶手段と、住所情報とＩＤコードと緯度経度データとが対応して記憶されているＩＤ情報記憶手段と、地図データと緯度経度データとが対応して記憶されている関連情報記憶手段と、前記文書情報から地理的な位置情報を切出す位置情報切出手段と、前記位置情報切出手段により切出された位置情報に対応する複数のＩＤコードを前記ＩＤ情報記憶手段から読み出し、記憶するＩＤ候補記憶手段と、前記ＩＤ候補記憶手段にて記憶された複数のＩＤコードに基づいて前記ＩＤ情報記憶手段から緯度経度データを得ると共に、この緯度経度データに基づいて前記関連情報記憶手段から複数の地図データを出力処理し、当該各地図データのうち、前記文書情報に適した地図データを決定する操作を促す出力処理手段と、前記操作により決定された地図データに対応するＩＤコードを前記ＩＤ候補記憶手段から決定する手段と、前記決定されたＩＤコードを前記文書情報に結び付けて前記文書情報記憶手段に書込むＩＤコード書込手段と、を備えており、前記文書情報配信システムとしては、文書情報を配信する配信対象地域の指定を含む配信指令が入力されると、この指定内容に基づいて、前記ＩＤ情報記憶手段内の対応するＩＤコードを得ると共に、このＩＤコードを用いて前記文書情報記憶手段を検索し、文書情報を得るコード検索手段と、前記コード検索手段により得られたＩＤコード及び文書情報に対し、前記ＩＤ情報記憶手段を参照し、当該ＩＤコードに対応する緯度経度データに基づいて、前記関連情報記憶手段から地図データを検索する関連情報検索手段と、前記コード検索手段により得られた文書情報に、前記関連情報検索手段により得られた地図データを付加する関連情報付加手段と、前記関連情報付加手段により地図データが付加された文書情報を前記配信対象地域の各端末に配信する文書情報配信手段と、を備えた文書情報分類／配信システムである。
【００３３】
また、請求項２に対応する発明は、地理的な位置情報を含む文書情報とＩＤコードとが結び付けられて記憶されている文書情報記憶手段、住所情報とＩＤコードと緯度経度データとが対応して記憶されているＩＤ情報記憶手段、及び地図データと緯度経度データとが対応して記憶されている関連情報記憶手段を用い、文書情報に含まれる地理的な位置情報に応じて前記文書情報を分類するための文書情報分類システムと、前記文書情報を配信するための文書情報配信システムとが実行する文書情報分類／配信方法であって、前記文書情報分類システムが前記文書情報から地理的な位置情報を切出す位置情報切出ステップと、前記文書情報分類システムが、前記位置情報切出ステップにより切出された位置情報に対応する複数のＩＤコードを前記ＩＤ情報記憶手段から読み出し、記憶するＩＤ候補記憶ステップと、前記文書情報分類システムが、前記ＩＤ候補記憶ステップにて記憶された複数のＩＤコードに基づいて前記ＩＤ情報記憶手段から緯度経度データを得ると共に、この緯度経度データに基づいて前記関連情報記憶手段から複数の地図データを出力処理し、当該各地図データのうち、前記文書情報に適した地図データを決定する操作を促す出力処理ステップと、前記文書情報分類システムが、前記操作により決定された地図データに対応するＩＤコードを前記ＩＤ候補記憶ステップにて記憶された複数のＩＤコードから決定するステップと、前記文書情報分類システムが、前記決定されたＩＤコードを前記文書情報に結び付けて前記文書情報記憶手段に書込むＩＤコード書込ステップと、文書情報を配信する配信対象地域の指定を含む配信指令が前記文書情報配信システムに入力されると、当該文書情報配信システムが、この指定内容に基づいて、前記ＩＤ情報記憶手段内の対応するＩＤコードを得ると共に、このＩＤコードを用いて前記文書情報記憶手段を検索し、文書情報を得るコード検索ステップと、前記文書情報配信システムが、前記コード検索ステップにより得られたＩＤコード及び文書情報に対し、前記ＩＤ情報記憶手段を参照し、当該ＩＤコードに対応する緯度経度データに基づいて、前記関連情報記憶手段から地図データを検索する関連情報検索ステップと、前記文書情報配信システムが、前記コード検索ステップにより得られた文書情報に、前記関連情報検索ステップにより得られた地図データを付加する関連情報付加ステップと、前記文書情報配信システムが、前記関連情報付加ステップにより地図データが付加された文書情報を前記配信対象地域の各端末に配信する文書情報配信ステップと、を含んでいる文書情報分類／配信方法である。
【００３６】
【発明の実施の形態】
以下、本発明の各実施形態について図面を参照して説明する。ここでは、説明を簡便にするために付加的情報として位置情報を用い、関連情報として地図データを用いている。
（第１の実施形態）
図１は本発明の第１の実施形態に係る文書情報分類システム及び文書情報配信システムの構成を示す模式図である。この文書情報分類システム及び文書情報配信システムは、文書情報ＤＢ１１並びに位置ＩＤ情報ＤＢ１２からなる配信用ＤＢ１０、位置ＩＤテーブル１３、地図情報ＤＢ１４及びこれら各ＤＢ１０〜１２，１４やテーブル１３を管理するためのＤＢ管理装置２０を備えている。ＤＢ管理装置２０は、分類部２１及び配信部２２を有し、インターネット等のネットワーク３０を介してユーザ端末４０に接続されている。なお、図１では、１台のユーザ端末４０のみが代表として図示されたが、実際には多数のユーザ端末４０がネットワーク３０に接続されている。
【００３７】
ここで、文書情報ＤＢ１１は、図２に示すように、例えば新聞・雑誌等の記事からなる文書情報が記憶される文書情報領域１１ａと、この文書情報領域１１ａ内の文書情報内に表記された（含まれる）位置情報に対応する位置ＩＤコードが記憶されるＩＤコード領域１１ｂとを有する複数の文書レコードからなる文書情報ファイルが保持される記憶部である。
【００３８】
位置ＩＤ情報ＤＢ１２は、図３に示すように、文書情報ＤＢ１１内の文書情報内に表記された（含まれた）位置情報が記憶される位置表記領域１２ａと、この位置表記領域１２ａ内の位置情報に候補となる位置ＩＤコードが入力され列挙されるＩＤ候補領域１２ｂと、ＩＤ候補領域１２ｂ内に入力された位置ＩＤコードのうち、位置情報として適当な位置ＩＤコードを記憶するＩＤコード領域１２ｃとを有する複数のＩＤ関連レコードからなる位置ＩＤ関連ファイルが保持される記憶部である。なお、前述したＩＤコード領域１１ｂ内の位置ＩＤコードにより、ＩＤコード領域１２ｃは、参照可能となっている。
【００３９】
また、位置ＩＤ情報ＤＢ１２は、「ＤＢ（データベース）」という長期保存用記憶部の如き名称を付けたが、最低限、ＩＤコード領域１１ｂに書込む位置ＩＤコードを決定するための記憶機能があればよいので、例えばＲＡＭ等の短期保存用の記憶部で実現しても良い。
【００４０】
位置ＩＤテーブル１３は、図４に示すように、例えば日本国内の実在する全ての都道府県市町村の名称並びにｘ丁目ｘ番ｘ号〜○丁目○番○号といった所番地を示す住所情報が記憶される住所情報領域１３ａと、この住所情報領域１３ａ内の住所情報に対応し、緯度情報並びに経度情報を一意に対応させるための位置ＩＤコード（例、１４桁｛＝７桁の郵便番号（町や村などの名称単位）＋７桁（町の中のｘ丁目ｙｙｙ番ｚｚｚ号単位）｝）が記憶されるＩＤコード領域１３ｂと、ＩＤコード領域１３ｂ内の位置ＩＤコードに対応する緯度情報並びに経度情報の組（以下、緯度経度データという）が記憶される緯度経度領域１３ｃとを有する複数の住所関連レコードからなる住所関連対応ファイルが予め登録された記憶部である。
【００４１】
ここで、緯度経度データは、地図上において位置を示すための座標データであり、具体的には、緯度（赤道零度で北緯９０度〜南緯９０度）と、経度（グリニッジ天文台を零度とし、東経１８０度〜西経１８０度）とを示す座標データである。但し、ここでは日本国内を想定するため、緯度が北緯であり、経度が東経となっている。
【００４２】
なお、所番地は、例えば東京都台東区台東の場合、丁目単位が１〜４（丁目）であり、番地単位が１丁目では１〜３７（番）であり、２丁目では１〜３１（番）であり、３丁目では１〜４６（番）であり、４丁目では１〜３３（番）である。
【００４３】
番地単位の下位の号単位も同様に１丁目１番では１〜ｚｚ（号）であり、１丁目２番では１〜○○（号）であり、…（以下同様に、４丁目３３番まで）、というように住所情報は記載され、記憶されている。
【００４４】
一方、位置ＩＤコードは、例えば東京都台東区台東１丁目５番１号の場合、先頭の７桁が郵便番号１１０００１６（東京都台東区台東）であることから、例えば１１０００１６１００５００１（又は有効数字を上位側に寄せて１５１００００（下位７桁）等）と表記される。但し、これは一例であり、実際の住所表記に応じて適宜変更されることは言うまでもない。例えば１２３４番地の場合は、前述したｘ丁目ｙｙｙ番ｚｚｚ号の割当てに限らず、郵便番号の後を０１２３４００（又は有効数字を上位側に寄せて１２３４０００）等として実現される。
位置ＩＤコードは、住所を認識し易いコードとして示したものであり、先の住所と郵便番号によるもの以外であっても良い。
【００４５】
なお、位置ＩＤテーブル１３は、住所（町村単位）と、７桁の新郵便番号と、緯度経度データとを対応させたテーブルで代用してもよい。また、これらに限らず、住所と電話番号と緯度経度データとを対応させたテーブルであっても良い。つまり、住所を認識し易いコードと緯度経度データとが対応しているテーブルであれば、いずれであっても良い。
【００４６】
地図情報ＤＢ１４は、例えば日本国内の所定範囲（都道府県単位、市町村単位、町の何丁目単位、繁華街単位）を示す地図データが記憶された地図データ領域１４ａと、この地図データ領域１４ａ内の地図データに対応する緯度経度データが記憶される緯度経度領域１４ｂとからなる複数の地図レコードからなる地図ファイルが記憶された記憶部である。ここで、地図データとしては、ビットマップ形式、ベクトル形式又はその他任意の形式のデジタルデータが使用可能となっている。なお、地図情報ＤＢ１４は、一般に知られている技術でも実現可能であり、具体的には、地図データと緯度経度データとが対応しているものであれば任意のものが使用可能となっている。
【００４７】
ＤＢ管理装置２０は、分類部２１及び配信部２２を備え、且つ図示しない入力部による文書情報や各種指令の入力機能と、図示しない表示部による通常の表示機能とをもっている。但し、ＤＢ管理装置２０の分配部２１及び配信部２２の組と、図示しない入力部及び表示部との組は必ずしも同一場所に配置されなくともよい。例えば分類部２１及び配信部２２の組をサーバ装置で実現し、入力部及び表示部の組をこのサーバ装置にネットワーク３０を介して接続されたクライアント端末として実現してもよい。また、分類部２１及び配信部２２は、説明の便宜上、１台のＤＢ管理装置２０に設けた場合を説明したが、これに限らず、分類部２１と、配信部２２とを各々別のＤＢ管理装置２０ａ，２０ｂとして設けた構成としてもよい。
【００４８】
分類部２１は、図示しない入力部を介して文書情報ＤＢ１１に登録された文書情報から当該文書情報に表記された（含まれる）位置情報に基づき、位置ＩＤテーブル１３を参照しつつ位置ＩＤコードの候補を位置ＩＤ情報ＤＢ１２内のＩＤ候補領域１２ｂに列挙する機能を有し、地図情報ＤＢ１４を参照して当該文書情報に表記された（含まれる）位置情報に該当する位置ＩＤコードを操作者の操作により候補の中から決定させる機能と、この決定された位置ＩＤコードを当該文書情報に対応付けて文書情報ＤＢ１１に書込む機能とを有している。詳しくは後述する図５のフローチャートに示す手順の処理を実行する機能をもっている。
【００４９】
配信部２２は、操作者の操作により、配信対象地域の指定を含む配信指令が入力されると、配信指令の配信対象地域の指定に基づいて、文書情報ＤＢ１１内で配信対象地域に対応する位置ＩＤコードを検索し、抽出する機能と、これにより、得られた位置ＩＤコードに基づいて、位置ＩＤテーブル１３及び地図情報ＤＢ１４を参照しつつ、当該位置ＩＤコードに対応する文書情報と地図データとの組を配信対象地域の各ユーザ端末４０に向けて配信する機能とを有し、詳しくは後述する図６のフローチャートに示す手順の処理を実行する機能をもっている。
【００５０】
なお、分類部２１及び配信部２２は、例えば、前述した各機能を実現させるためのプログラムが記憶されたコンピュータ読取り可能な記憶媒体から、該当するプログラムがＤＢ管理装置２０のコンピュータにインストールされることにより、実現可能となっている。また、配信部２２は、各ユーザ端末４０が設置されている地域がアクセスポイント等から予め分かっているものとしている。
【００５１】
一方、ユーザ端末４０は、通常のパーソナルコンピュータ機能といったユーザ端末４０自体の機能に加え、ＤＢ管理装置２０から配信された文書情報と地図データとの組を表示する機能をもっている。
【００５２】
なお、ユーザ端末４０は、これに限らず、例えば無線などを介して文書情報が配信される場合、携帯電話機能（携帯電話）、電子手帳機能（モバイル機器）、衛星放送受信機能（テレビジョン装置）、進行方向案内機能（カーナビゲーション装置）といったユーザ端末４０自体の機能に加え、前述した表示機能を有するものとなる。また、これに伴い、ＤＢ管理装置２０の配信部２２は、配信用の無線通信機能を有するものとなる。
【００５３】
次に、以上のように構成された文書情報分類システム及び文書情報配信システムの動作を図５及び図６のフローチャートを用いて説明する。なお、以下の動作は、例えば特定地域を対象とした記事を配信する地域メディア会社において、位置情報が表記された（含んだ）文書情報（例えば、全国紙の新聞や雑誌などに掲載された記事情報）を再利用するための分類動作及び特定地域向けの文書情報を抽出し、配信する動作（以下、配信動作という）を想定している。
【００５４】
（分類動作）
図示しない入力部から文書情報がＤＢ管理装置２０に入力され、ＤＢ管理装置２０はこの文書情報を文書情報ＤＢ１１に記録する。
【００５５】
このとき、図５に示すように、ＤＢ管理装置２０において、分類部２１が、この記録された文書情報に対し、例えば「都」「道」「府」「県」「市」「町」「村」などの住所表記の単位となる文字を文書情報から検索することにより、文書情報から位置情報を切出して（ＳＴ１：付加的情報切出し手段）位置ＩＤ情報ＤＢ１２内の位置表記領域１２ａに入力する。
【００５６】
分類部２１は、ステップＳＴ１にて文書情報から位置情報を切出せたか否かを判定し（ＳＴ２）、文書情報から位置情報を切出せなかったときには、操作者に対し、この文書情報の位置情報として適当な位置ＩＤコードの入力を促す（ＳＴ３）。
【００５７】
ここで、操作者に位置ＩＤコードの入力を促す際に、位置ＩＤテーブル１３（ＩＤ情報記憶手段）を参照して住所情報と位置ＩＤコードとの組を並べて表示すれば、操作者は簡単に位置ＩＤコードを探すことができる。なお、この場合は後述するＳＴ６を行なう必要はない。
【００５８】
また、分類部２１は、操作者の操作によりこの文書情報の位置情報として適当な位置ＩＤコードが入力されると（ＳＴ４）、この位置ＩＤコードを位置ＩＤ情報ＤＢ１２のＩＤ候補領域１２ｂに入力し、後述するステップＳＴ６に進む。
一方、ステップＳＴ２にて文書情報内に表記された（含まれる）位置情報を切出せた場合、分類部２１は、この切り出された位置情報に基づいて、位置ＩＤテーブル１３内の住所情報領域１３ａを参照し、住所情報に対応する位置ＩＤコードを位置ＩＤ情報ＤＢ１２のＩＤ候補領域１２ｂに入力し（ＳＴ５：ＩＤ候補記憶手段）、ステップＳＴ７に進む。
【００５９】
ステップＳＴ６において、分類部２１は、ＩＤ候補領域１２ｂ内の位置ＩＤコードが位置コード領域１３ｂ内の位置ＩＤコードと適合するか否かを判定し（ＳＴ６）、適合しないときには前述したステップＳＴ３に戻り、適合する位置ＩＤコードがないことを表示し、操作者に対して、文書情報の位置情報として適当な位置ＩＤコードの入力を促すと共に、この入力された位置ＩＤコードをＩＤ候補領域１２ｂに入力し、この位置ＩＤコードの適合性を確認するために再度ステップＳＴ６を実行する。
【００６０】
一方、ステップＳＴ６において、このＩＤコード領域１２ｂに入力された位置ＩＤコードが位置ＩＤコード領域１３ｂ内の位置ＩＤコードと適合するとき、分類部２１は、このＩＤ候補領域１２ｂに入力された位置ＩＤコードに対応する緯度経度データを位置ＩＤテーブル１３内の緯度経度領域１３ｃから得ると共に（ＳＴ７）、地図情報ＤＢ１４内の地図データ領域１４ａからこの緯度経度データに基づいて、該当する地図データを検索し、得られた地図データを図示しない表示部に表示させ（ＳＴ８：出力処理手段）、操作者に対して文書情報に適した地図データの決定を促す。
【００６１】
表示部に地図データが表示された後、分類部２１は、操作者の操作により、地図データを決定した旨の指示を受けると、ＩＤ候補領域１２ｂに入力された位置ＩＤコードから決定された地図データに対応する位置ＩＤコードを決定する（ＳＴ９）。
【００６２】
この決定された位置ＩＤコードは、位置ＩＤ情報ＤＢ１２内において、位置ＩＤ領域１２ｃに記憶される（ＳＴ１０）。
【００６３】
また、決定された位置ＩＤコードは、文書情報ＤＢ１１内の対応する文書情報と組にして文書情報ＤＢ１１内のＩＤコード領域１１ｂに登録される（ＳＴ１１：ＩＤコード書込手段）。これにより分類動作が完了する。
【００６４】
（配信動作）
図６に示すように、ＤＢ管理装置２０においては、操作者の入力部の操作により、配信対象地域の指定を含む配信指令が入力されると（ＳＴ２１）、配信部２２が、この配信対象地域の指定に基づいて、位置ＩＤテーブル１３内の住所情報を参照し、対応する位置ＩＤコードを用いて文書情報ＤＢ１１内の位置ＩＤコードを検索し、抽出する（ＳＴ２２：コード検索手段）。
【００６５】
次に配信部２２は、先のＳＴ２２より得られた位置ＩＤコードと同じ組の文書情報を集めて（例えば各文書情報毎に文頭の所定数の文字のみを表示し）、操作者に「配信実行」及び／又は「配信せず」の指示を促す。
【００６６】
続いて、配信部２２は、操作者の操作により、各文書情報毎に「配信実行」又は「配信せず」が指示されると、「配信実行」の指示された文書情報の位置ＩＤコードに基づいて、位置ＩＤテーブル１３を参照して、その位置ＩＤコードに対応する緯度経度データを求めると共に、得られた緯度経度データに基づいて地図情報ＤＢ１４から地図データを検索し（ＳＴ２３：関連情報検索手段）、得られた地図データを文書情報に付加する（ＳＴ２４：関連情報付加手段）。
【００６７】
しかる後、配信部２２は、これら配信実行が指示された文書情報と、その文書情報に対応する地図データとの組を指定された配信対象地域の各ユーザ端末４０に配信する（ＳＴ２５：文書情報配信手段）。但し、前述した文書情報の表示〜配信実行／配信せずの指示までの処理は、省略してもよい。すなわち、配信部２２は、ＳＴ２２より得られた位置ＩＤコードと同じ組の文書情報に対応する地図データを自動的に付加して配信対象地域の各ユーザ端末４０に配信する構成としてもよい。
【００６８】
各ユーザ端末４０では、配信された文書情報と地図データとが適宜表示される。例えば、図７に示すように、ユーザ端末４０の画面Ｇ１に「交通事故、政治、経済、スポーツ、グルメ、エンターテイメント」のように文書情報の文頭が表示される。ここで、画面Ｇ１内の「交通事故」の文頭の表示がクリックされると、文書情報が画面Ｇ２に表示される。また、文書情報の画面Ｇ２中の文書情報内の「○○町のＹ字路」の箇所をクリックすると、文書情報に代えて、○○町のＹ字路を示す地図データが次画面Ｇ３に表示される。また、画面Ｇ３の「地図（○○町）」の箇所をクリックすると、前画面Ｇ２の文書情報が表示される。また、画面Ｇ２中の表題「−交通事故−」の箇所をクリックすると、元の画面Ｇ１に戻る。なお、このような構成は、例えばクリック箇所と画面とをリンク情報で予め結合させることにより、実現可能である。
【００６９】
また、図７に示す画面Ｇ１〜Ｇ３の遷移に限らず、例えば図８に示す画面Ｇ１〜Ｇ２ａの遷移のように、文頭の表示がクリックされると、画面Ｇ２ａに文書情報と地図データとが並列して同時に表示される構成に変形してもよい。この場合、例えば画面Ｇ２ａの「地図（○○町）」の箇所をクリックすると、元の画面Ｇ１に戻る。
【００７０】
ここで、図７に示す画面遷移方式は、文書情報に対応する地図データを必要なときのみ参照する方式なので、文書情報の表示面積を広く取れる利点を有し、地理的位置をほぼ理解しているユーザに好まれる。一方、図８に示す画面遷移方式は、地図データ参照用のクリック操作を無くす利点を有し、地理的位置を理解しにくいユーザに好まれる。
【００７１】
なお、これらの画面遷移の処理は、例えば画面遷移用の専用アイコンを表示し、その専用アイコンのクリックにより行なう構成としてもよいが、前述したように文書情報及び地図データのクリックにより画面遷移を行なう方が、情報内容（文書情報及び／又は地図データ）の表示面積を大きく取ることができる。
【００７２】
このように、各ユーザ端末４０に表示された文書情報は、各ユーザ端末４０の配置された地域に関連した内容を有することとなる。よって、ＤＢ管理装置２０の配信部２２は、特定の地域に関連した文書情報を配信することができる。
【００７３】
上述したように本実施形態によれば、文書情報と位置ＩＤコードとの組が記憶される構造の文書情報ＤＢ１１を設けた構成により、文書情報を位置情報に基づいて分類できると共に、文書情報を位置ＩＤコードに基づいて検索し、抽出して配信できるので、記事等の文書情報を再利用する際に、分類作業並びに配信作業の負荷（労力）を低減させることができる。
【００７４】
また、ＤＢ管理装置２０の分類部２１が、文書情報ＤＢ１１に文書情報が記憶されたとき、当該文書情報から位置情報を切出し、この位置情報の候補となる位置ＩＤコードをＩＤ候補領域１２ｃに記憶させ、ＩＤ候補領域１２ｃ内の位置ＩＤコードに基づいて、各位置ＩＤコード毎に対応する地図データを出力処理し、位置ＩＤコードの決定を促し、位置ＩＤコードが決定されたとき、この決定された位置ＩＤコードを文書情報に対応付けて文書情報ＤＢ１１に書込むので、記事等の文書情報に表記された（含まれる）位置情報を、視覚で確認することができる。
【００７５】
さらに、分類部２１は、位置情報が切出せなかったとき、位置ＩＤコードの入力を促すと共に、入力された位置ＩＤコードをＩＤ候補領域１２ｃに書込むので、前述した作用効果を容易且つ確実に奏することができる。
【００７６】
また、住所を示す住所情報毎に位置ＩＤコードが記憶された位置ＩＤテーブル１３を設け、分類部２１としては、ＩＤ候補領域１２ｃの位置ＩＤコードに対し、位置ＩＤテーブル１３を参照して住所情報に適合するか否かを判定し、「適合する」と判定された位置ＩＤコードに対して表示処理へ移行するので、前述した作用効果を容易且つ確実に奏することができる。
【００７７】
さらに、ＤＢ管理装置２０の配信部２２は、配信対象地域の指定を含む配信指令が入力されると、この指定内容に基づいて、文書情報ＤＢ１１内で配信対象地域に対応する位置ＩＤコードを検索し、得られた位置ＩＤコードと同じ組の文書情報に対し、位置ＩＤテーブル１３を参照してその位置ＩＤコードに対応する緯度経度データを求めると共に、得られた緯度経度データに基づいて地図情報ＤＢ１４から地図データを検索し、得られた地図データを対応する文書情報に付加し、地図データと文書情報との組を配信対象地域の各ユーザ端末４０に向けて配信するので、記事等の文書情報を再利用する際に、文書情報と地図とが結びついており、ビジュアル的に文書情報に含まれている位置情報を目視することができる。
【００７８】
すなわち、本実施形態によれば、個々の文書情報に対し、汎用性をもつコード分類を行ない再利用可能としたので、様々なメディアにおいて、位置分類による検索、抽出や配信等の再利用を容易に実行することができる。
【００７９】
補足すると、従来は個々の文書情報を位置情報毎に別の目的で地域分類することが無く、文書情報に表記された（含まれる）位置情報に汎用性のあるコード分類をすることが無い（前例が無く、発想も無い）。すなわち、従来は、個々の文書情報は１回だけ使用するという前提で作成並びに分類（日付、掲載面、記者コード等）されており、文書情報を再利用するという発想がないので、様々なメディアで地域毎に配信したくとも、再読並びに編集作業を伴うため、配信が困難となっている。
【００８０】
これにより、従来としては例えば、新聞記事には多くの位置情報が表記されている（含まれている）にも関わらず、地域向けの別のメディアには再利用に際して負担がかかる状況にある。しかし、本実施形態によれば、係る状況を打破でき、前述したように、文書情報を再利用する際の分類作業並びに配信作業の手間を低減させることができる。
【００８１】
また、文書情報を配信する際に、地図データと組にして配信するので、文書情報の配信を受けたユーザ側では、地図帳などを調べることなく、文書情報の地理的位置を容易に理解することができる。
【００８２】
また、地図データを表示することにより、文書情報に現実感を持たせることができる。例えば文書情報が事件記事の場合、場所を特定することで事件を身近に感じさせることができる。また、文書情報がグルメ記事の場合、購買意欲を誘うような文書情報を提供することができる。
【００８３】
また、ユーザ端末４０における画面遷移方式は任意なので、文書情報と地図データの切換表示（図７）、あるいは文書情報と地図データの同時表示（図８）といった各画面遷移方式をユーザの好みに応じて実現することができる。
【００８４】
（第２の実施形態）
次に、本発明の第２の実施形態に係る文書情報分類システム及び文書情報配信システムについて図９を用いて説明するが、前述した図面と同一部分には同一符号を付してその詳しい説明を省略し、ここでは異なる部分についてのみ述べる。なお、後述する各実施形態も同様にして重複した説明を省略する。
【００８５】
すなわち、本実施形態は、第１の実施形態の変形例であり、文書情報が複数の位置情報を含む場合にも分類し、配信を可能に構成されている。
【００８６】
具体的には図９に示すように、文書情報ＤＢ１１は、前述した構成に加え、文書情報領域１１ａの文書情報に複数の位置情報が表記されて（含まれて）いるとき、ＩＤコード領域１１ｂには複数の位置情報に対応した複数の位置ＩＤコードが記憶されており、且つ各位置情報がそれぞれリンク情報Ｌ１〜Ｌ３を介して各々の位置ＩＤコードに接続された構成となっている。
【００８７】
一方、分類部２１は、前述した機能に加え、前述したステップＳＴ１１において、位置ＩＤ領域１２ｃに記憶され決定された位置ＩＤコードを位置コード領域１１ｂに登録するとき、位置ＩＤ情報ＤＢ１２の参照により、決定された位置ＩＤコードに対応する位置表記領域１２ａ内の位置情報を読出し、文書情報領域１１ａに記憶された文書情報から、先に読出した位置情報に該当する文書を特定し、文書情報領域１１ａから特定された位置情報と、位置コード領域１１ｂに記憶された位置ＩＤコードとを相互にリンクさせるようにリンク情報を設定する機能を備えている。
【００８８】
ここで、リンク情報Ｌ１〜Ｌ３は、文書情報領域１１ａ内に記憶された文書情報に表記された（含まれる）各位置情報と、ＩＤコード領域１１ｂ内の各位置ＩＤコードとを相互にリンクすることができる情報である。例えばリンク情報としてＨＴＭＬ文書のリンク用タグ（<A HREF=“(URL)”>〜</A>）を用いて、語句である位置情報と、その語句のリンク先である位置ＩＤコードとを指定することで、相互にリンクすることが可能となる。
【００８９】
なお、配信部２２は、前述した構成と同じであるが、文書情報領域１１ａに記憶された１つの文書情報に対応して、ＩＤコード領域１１ｂに記憶される位置ＩＤコードが複数の場合、複数の位置ＩＤコードに応じて文書情報を配信することになる。
【００９０】
以上のような構成によれば、第１の実施形態の効果に加え、１つの文書情報に複数の位置情報が表記されて（含まれて）いる場合、分類の際には、当該文書情報を各位置情報毎に位置ＩＤコードを付与して分類作業でき、配信作業の際には、各位置ＩＤコードに対応して別々の地域に文書情報を配信することができる。
【００９１】
すなわち、本実施形態によれば、ある文書情報に関係する複数の地域配信する地域メディアを実現させることができる。補足すると、一般に記事（文書情報）に付随する地図は、その記事の主な位置情報に関してだけとなっている。これは新聞や雑誌といった紙の媒体の物理的な制限、限界による。さらに、記事に表記された（含まれる）全ての位置情報に対応する地図データを簡易に配信し、表示できれば、利用者にとってより便利なメディアとなる。本実施形態によれば、上述した構成により、記事に表記された（含まれる）全ての位置情報に対してそれぞれの地図データを配信し、表示することができるので、便利なメディアの実現を期待することができる。
【００９２】
（第３の実施形態）
図１０は本発明の第３の実施形態に係る文書情報分類システム及び文書情報配信システムの構成を示す模式図である。
すなわち、本実施形態は、第１及び第２の実施形態の変形例であり、各々のユーザ端末４０には、文書情報に位置ＩＤコードのみが付されて分類し、配信を可能に構成されている。
【００９３】
具体的には図１０に示すように、前述した構成と同様に文書情報ＤＢ１１は、文書情報領域１１ａの文書情報に位置情報が表記されて（含まれて）いるとき、ＩＤコード領域１１ｂには位置情報に応じた位置ＩＤコードが記憶されており、かつ文書情報領域１１ａの文書情報に含まれる位置情報がリンク情報を介してＩＤコード領域１１ｂ内の位置ＩＤコードに接続された構造となっている。
【００９４】
また、分類部２１は、前述した機能と同様に、文書情報領域１１ａの位置情報と、ＩＤコード領域１１ｂに記憶された位置ＩＤコードとを相互にリンクさせるようにリンク情報を設定する機能を備えている。
【００９５】
さらに、配信部２２は、前述した構成に加えて、文書情報領域１１ａに記憶された文書情報と、この文書情報に対応してＩＤコード領域１１ｂに記憶された位置ＩＤコードとを操作者の指定した各々のユーザ端末４０に配信可能に構成されている。
【００９６】
各々のユーザ端末４０を利用しているユーザが、配信された文書情報に表記された（含まれた）位置情報をクリックすることにより、ユーザ端末４０は文書情報に表記された（含まれた）位置情報とリンクしている位置ＩＤコードをネットワーク３０を介して、ＤＢ管理装置２０に入力する。
【００９７】
次に、ＤＢ管理装置２０は、このユーザ端末４０から入力された位置ＩＤコードを用いて、位置ＩＤテーブル１３内のＩＤコード領域１３ｂから同一の位置ＩＤコードを検索し、この位置ＩＤコードに対応する緯度経度データを緯度経度領域１３ｃから読み出す。
【００９８】
さらに、ＤＢ管理装置２０は、この読み出した緯度経度データを用いて地図情報ＤＢ１４内の緯度経度データに対応する地図データを地図データ領域１４ａ内から読み出し、この地図データを先のユーザ端末４０に配信する。
【００９９】
これにより、ユーザ端末４０では、文書情報に表記された（含まれた）位置情報に対応する地図を表示することで目視にて確認することができる。
【０１００】
上述したように本実施形態によれば、前述同様の分類作業と配信作業とを低減させる効果に加え、文書情報にＩＤコードを付加して配信するので、第１及び第２の実施形態よりも、配信されるデータ量を大幅に低減させることができる。
【０１０１】
詳しくは、本実施形態は、記事等の文書情報に付与された分類用のＩＤコードに基づいて、関連する地図データを参照する構成であり、すなわち、ユーザ端末４０から入力された位置ＩＤコードに対応する地図データのみを後から配信する構成なので、文書情報内の全ての地図データを配信する場合よりも、ネットワーク上のデータ量並びにユーザ端末４０で扱うデータ量を大幅に低減させることができる。
【０１０２】
このため、第１及び第２の実施形態が主にブラウザでの使用に適したものであるのに対し、本実施形態はブラウザと電子メールとのいずれの使用にも適したものとなる。
【０１０３】
また、本実施形態は、第１又は第２の実施形態と同時に用いても良い。例えば、複数の文書情報を配信する場合、ある文書情報には地図データを付加して配信し、他の文書情報には位置ＩＤコードを付加して配信するという方式に変形してもよい。このような変形例も本発明の範囲に包含される。
【０１０４】
なお、本実施形態では、地図情報ＤＢ１４は、ＤＢ管理装置２０に含まれた構成となっているが、これに限らず、ネットワーク上に設けられたＷＥＢサイトであって、地図情報ＤＢ１４を提供するような地図データと緯度経度データとが対応しているものであれば良い。
【０１０５】
なお、本実施形態における位置ＩＤコードの代わりに緯度経度データが用いられている場合で説明する。この場合には、各々のユーザ端末４０から位置情報に対応している緯度経度データが、ネットワーク３０を介して先のＷＥＢサイトに入力される。
【０１０６】
次に、ＷＥＢサイトは、この緯度経度データを用いて、地図情報ＤＢ１４内の緯度経度領域１４ｂから同一の緯度経度データを検索し、検索された緯度経度データに対応する地図データを地図データ領域１４ａ内から読出し、この地図データを先のユーザ端末４０に配信する。
【０１０７】
これにより、ユーザ端末４０では、先の構成と同様に、文書情報に表記された（含まれた）位置情報に対応する地図を表示することで目視にて確認することができる。
【０１０８】
なお、上記実施形態に記載した手法は、コンピュータに実行させることのできるプログラムとして、磁気ディスク（フロッピーディスク、ハードディスクなど）、光ディスク（ＣＤ−ＲＯＭ、ＤＶＤなど）、光磁気ディスク（ＭＯ）、半導体メモリなどの記憶媒体に格納して頒布することもできる。
【０１０９】
なお、上記第１〜第３の実施形態に記載した構成においては、文書情報に表記されている（含まれる）情報として位置情報についてのみ述べてきたが、これに限らず、文書情報に表記される（含まれる）様々な付加的情報に対してもコード化することで対応できる。
【０１１０】
例えば人物情報、企業情報などの様々な文書情報に含まれる付加的情報をコード化し、それらの付加的情報に対応する詳細な文書、音声や画像を関連情報として蓄積しておき、ユーザの希望に応じて付加的情報に対応する詳細関連情報である、人物関連情報（例、経歴、顔写真、著書、楽曲名）及び／又は企業関連情報（例、会社概要、財務情報、ニュースリリース）を提供することもできる。
【０１１１】
この場合には、関連情報とＩＤコードとが対応付けられて関連情報ＤＢに記憶され、文書情報ＤＢのＩＤコードから関連情報ＤＢの関連情報を導き出せるように記憶されていれば良い。すなわち、地図データとは異なり、緯度経度データの如き汎用性のあるコードを用いなくとも、ＩＤコードから関連情報を参照できる構成であればよい。係る変形構成も前述同様に、付加的情報を含む文書情報を分類し、ＩＤコード又は関連情報を付加して配信した際に、付加的情報に対応する関連情報を参照できるという本発明の基本構成に変わりはないので、本発明の範囲に包含される。
【０１１２】
なお、本願発明は、上記各実施形態に限定されるものでなく、実施段階ではその要旨を逸脱しない範囲で種々に変形することが可能である。また、実施形態内の各要素は可能な限り適宜組合わせて実施してもよく、その場合、組み合わされた効果が得られる。さらに、上記実施形態には種々の段階の発明が含まれており、開示される複数の構成要件における適宜な組み合わせにより種々の発明が抽出され得る。例えば実施形態に示される全構成要件から幾つかの構成要件が省略されることで発明が抽出された場合には、その抽出された発明を実施する場合には省略部分が周知慣用技術で適宜補われるものである。
【０１１３】
その他、本発明はその要旨を逸脱しない範囲で種々変形して実施できる。
【０１２３】
【発明の効果】
以上説明したように請求項１，２の発明によれば、コード検索手段が、文書情報を配信する配信対象地域の指定を含む配信指令が入力されると、この指定内容に基づいて、ＩＤ情報記憶手段内の対応するＩＤコードを得ると共に、このＩＤコードを用いて文書情報記憶手段を検索し、文書情報を得ると、関連情報検索手段が、コード検索手段により得られたＩＤコード及び文書情報に対し、ＩＤ情報記憶手段を参照し、当該ＩＤコードに対応する緯度経度データに基づいて、関連情報記憶手段から地図データを検索し、関連情報付加手段が、コード検索手段により得られた文書情報に、関連情報検索手段により得られた地図データを付加し、文書情報配信手段が、関連情報付加手段により地図データが付加された文書情報を配信対象地域の各端末に配信するので、記事等の文書情報を再利用する際に、配信作業の労力を低減でき、さらに、関連情報が付加された文書情報を配信でき、関連情報が付加された文書情報を配信する際に、関連情報として地図データを用いることができる。
【図面の簡単な説明】
【図１】本発明の第１の実施形態に係る文書情報分類システム及び文書情報配信システムの構成を示す模式図
【図２】同実施形態における文書情報ＤＢの構成を示す模式図
【図３】同実施形態における位置ＩＤ情報ＤＢの構成を示す模式図
【図４】同実施形態における位置ＩＤテーブルの構成を示す模式図
【図５】同実施形態における分類動作を説明するためのフローチャート
【図６】同実施形態における配信動作を説明するためのフローチャート
【図７】同実施形態における画面表示を説明するための模式図
【図８】同実施形態における画面表示を説明するための模式図
【図９】本発明の第２の実施形態における文書情報ＤＢの構成を示す模式図
【図１０】本発明の第３の実施形態に係る文書情報分類システム及び文書情報配信システムの構成を示す模式図
【符号の説明】
１０…配信用ＤＢ
１１…文書情報ＤＢ
１１ａ…文書情報領域
１１ｂ，１２ｃ，１３ｂ…ＩＤコード領域
１２…位置ＩＤ情報ＤＢ
１２ａ…位置表記領域
１２ｂ…ＩＤ候補領域
１３ｃ，１４ｂ…緯度経度領域
１３…位置ＩＤテーブル
１３ａ…住所情報領域
１４…地図情報ＤＢ
１４ａ…地図データ領域
２０…ＤＢ管理装置
２１…分類部
２２…配信部
３０…ネットワーク
４０…ユーザ端末
Ｌ１〜Ｌ３…リンク情報
【図１】
0004018322.tif 000002
【図２】
0004018322.tif 000003
【図３】
0004018322.tif 000004
【図４】
0004018322.tif 000005
【図５】
0004018322.tif 000006
【図６】
0004018322.tif 000007
【図７】
0004018322.tif 000008
【図８】
0004018322.tif 000009
【図９】
0004018322.tif 000010
【図１０】
0004018322.tif 000011